(57)【特許請求の範囲】
【請求項１】
運転者の生体情報を取得し、その生体情報の異常を検出する生体異常検出手段と、
前記生体情報の異常を検出した際の走行環境と異常状態とを記憶する異常状態記憶手段と、
目的地を入力する目的地入力手段と、
前記入力された目的地までの、前記異常状態となった走行環境の経路区間が少なくなる走行経路を探索する経路探索手段と、
前記経路探索手段で探索した複数の走行経路に対して、走行経路に含まれる、前記異常状態記憶手段に記憶されている生体異常となった走行環境と同一環境の区間の長さの、該走行経路の全長に対する割合を環境適合指数として算出する環境適合指数算出手段と、
環境適合指数に応じた各走行経路の快適度を前記各走行経路とともに表示する快適度表示手段と、
前記探索された走行経路の案内を行う経路案内手段と
を備えることを特徴とする経路探索装置。
【請求項２】
運転者の生体情報を取得し、その生体情報の異常を検出する生体異常検出手段と、
前記生体情報の異常を検出した際の走行環境と異常状態とを記憶する異常状態記憶手段と、
目的地を入力する目的地入力手段と、
前記入力された目的地までの、前記異常状態となった走行環境の経路区間が少なくなる走行経路を探索する経路探索手段と、
前記経路探索手段で探索した各走行経路に対する渋滞情報を取得する渋滞情報取得手段と、
前記取得した渋滞情報に基づき、各走行経路に含まれる、渋滞している区間の合計距離の、該走行経路の全長に対する割合を渋滞度として算出する渋滞度算出手段と、
前記異常状態記憶手段に記憶されている渋滞に対する生体異常の量と、前記渋滞度とに応じた各走行経路の快適度を前記各走行経路とともに表示する快適度表示手段と、
前記探索された走行経路の案内を行う経路案内手段と
を備えることを特徴とする経路探索装置。
【請求項３】
前記経路探索手段は、前記異常状態記憶手段に記憶されている異常状態となった走行環境に対応するコストを増加して経路探索を行うことを特徴とする請求項１、又は請求項２に記載の経路探索装置。
【請求項４】
前記経路探索手段は、現在の生体情報が異常である場合に、更に対応する走行環境のコストを増加して経路探索を行うことを特徴とする請求項３に記載の経路探索装置。
【発明の詳細な説明】
【技術分野】
【０００１】
本発明は、経路探索装置に係り、例えば、曲路における運転の支援に関する。
【背景技術】
【０００２】
目的地までの経路を探索し運転者に提供する経路探索装置が広く普及している。この経路探索装置では、交通情報を考慮した経路探索を行うようになっており、最短でいける経路や、走行したい道路を優先（一般道優先、有料道路優先等）した経路を設定することができる。
また、道路条件だけでなく、運転者の生体情報を考慮して、運転難易度を判定し経路探索する技術が特許文献１で提案されている。
【０００３】
【特許文献１】特開平７−１２１８００号
【発明の開示】
【発明が解決しようとする課題】
【０００４】
しかし、特許文献１記載技術では、走行した道路についてドライバの生理状態から運転負荷量を判定し、その道路に対する運転負荷量を記憶しておき、運転負荷量を記憶した区間が探索した経路中にどれだけ含まれているかに基づいて運転難易度を判定するようにしている。
このため、特許文献記載技術では、過去に走行したことのない経路については、運転者の生体情報を利用した（運転難易度を考慮した）経路探索を行うことはできなかった。
【０００５】
そこで本発明は、走行経験の有無に関わらず、生体情報を利用した快適な走行経路を探索することが可能な経路探索装置を提供することを目的とする。
【課題を解決するための手段】
【０００６】
（１）請求項１記載の発明では、運転者の生体情報を取得し、その生体情報の異常を検出する生体異常検出手段と、前記生体情報の異常を検出した際の走行環境と異常状態とを記憶する異常状態記憶手段と、目的地を入力する目的地入力手段と、前記入力された目的地までの、前記異常状態となった走行環境の経路区間が少なくなる走行経路を探索する経路探索手段と、前記経路探索手段で探索した複数の走行経路に対して、走行経路に含まれる、前記異常状態記憶手段に記憶されている生体異常となった走行環境と同一環境の区間の長さの、該走行経路の全長に対する割合を環境適合指数として算出する環境適合指数算出手段と、環境適合指数に応じた各走行経路の快適度を前記各走行経路とともに表示する快適度表示手段と、前記探索された走行経路の案内を行う経路案内手段とを備えることを特徴とする経路探索装置を提供する。
（２）請求項２記載の発明では、運転者の生体情報を取得し、その生体情報の異常を検出する生体異常検出手段と、前記生体情報の異常を検出した際の走行環境と異常状態とを記憶する異常状態記憶手段と、目的地を入力する目的地入力手段と、前記入力された目的地までの、前記異常状態となった走行環境の経路区間が少なくなる走行経路を探索する経路探索手段と、前記経路探索手段で探索した各走行経路に対する渋滞情報を取得する渋滞情報取得手段と、前記取得した渋滞情報に基づき、各走行経路に含まれる、渋滞している区間の合計距離の、該走行経路の全長に対する割合を渋滞度として算出する渋滞度算出手段と、前記異常状態記憶手段に記憶されている渋滞に対する生体異常の量と、前記渋滞度とに応じた各走行経路の快適度を前記各走行経路とともに表示する快適度表示手段と、前記探索された走行経路の案内を行う経路案内手段とを備えることを特徴とする経路探索装置を提供する。
（３）請求項３記載の発明では、前記経路探索手段は、前記異常状態記憶手段に記憶されている異常状態となった走行環境に対応するコストを増加して経路探索を行うことを特徴とする請求項１、又は請求項２に記載の経路探索装置を提供する。
（４）請求項４記載の発明では、前記経路探索手段は、現在の生体情報が異常である場合に、更に対応する走行環境のコストを増加して経路探索を行うことを特徴とする請求項３に記載の経路探索装置を提供する。
【発明の効果】
【０００７】
本発明によれば、運転者の生体情報の異常を検出した際の走行環境と異常状態とを記憶し、異常状態となった走行環境の経路区間が少なくなる走行経路を探索するように構成したので、走行経験の有無に関わらず、生体情報を利用した快適な走行経路を探索することができる。
【発明を実施するための最良の形態】
【０００８】
以下、本発明の経路探索装置における好適な実施の形態について、図１から図９を参照して詳細に説明する。
（１）実施形態の概要
本実施形態では、車両の走行中において運転者の生体情報（心拍、発汗量、筋電位、脳波、瞳孔等）を測定し、異常状態を検出する。異常状態か否かの判断は、予め判定データ（基準値）が規定されており、例えば、心拍の場合所定基準値を超えた場合に異常と判断し、また瞳孔や脳波などの自律神経系の場合には交感神経系優位の状態を異常と判断する。
そして、異常状態を検出した場合に、その異常の状態（内容と程度）及び異常状態となった地点や区間における環境情報（車両量、信号量、道路種別、車線数、等）を、その運転者が快適に走行することができない環境に関する個人的な特性として、個人特性データーベースに格納しておく。
【０００９】
一方、目的地までの経路探索を行う場合、経路探索用のコスト計算の際に、異常状態となった走行環境と同じ走行環境の道路や区間についてのコストを変更して計算を行う。
この経路探索では、異常状態となった走行環境と同一の区間を探索対象から外すのではなく、該当区間が探索経路に含まれにくくなるように計算用のコストを変更するものである。例えば、５００ｍの区間であっても、運転者にとって苦手な区間であればコストを２倍にし、１ｋｍの区間として計算することで、選択されにくくする。
このため、探索した複数の走行経路中にも、異常状態となった経路を含む場合がある。そこで、本実施形態では、出発地点から目的地までの距離のなかに、苦手な区間（生体異常となった走行環境と同一環境の区間）以外の区間（苦手でない区間）が含まれている割合を環境適合指数として算出する。
【００１０】
本実施形態では、経路探索をする際（目的地が入力された際）に、運転者の生体情報を検出し、異常となっている場合には、右左折や複雑な構造の交差点のコストを高くすることで、経路探索基準を変更するようにしている。
このように本実施形態では、運転者の経路探索の際の生体情報に基づいた経路探索も行うようになっている。
【００１１】
また、探索した各経路における渋滞情報を取得し、渋滞区間の割合と、渋滞に対する運転者の適合度（渋滞時の生体異常の発生状況から算出）とから渋滞指数を算出する。
本実施形態では、経路探索された複数の走行経路に対して、環境適合指数と渋滞指数を算出し、その両者から各走行経路の運転者に対する快適度を求めて、快適度の高い順に運転者に提供する。提供の際には、快適度の高い経路を所定数（例えば、３経路）だけ地図中に表示する。各経路は、渋滞区間や苦手区間を色分け等により識別可能にし、各経路の快適度（お薦め度）と共に表示する。
【００１２】
（２）実施形態の詳細
図１は、本実施形態における経路探索装置の構成を表したものである。
この図１に示すように、経路探索装置は、各種プログラムやデータに従って経路探索装置全体を制御するＥＣＵ（電子制御装置）１０を備えており、ＥＣＵ１０には現在位置検出装置１１、生体情報取得装置１２、画像入力装置１５、データ記憶部１６、プログラム記憶部１７、入力装置１８、音声出力装置１９、表示装置２０、通信装置２２が接続されている。
【００１３】
現在位置検出装置１１は、経路探索装置が搭載される車両の現在位置（緯度、経度からなる絶対座標値）を検出する装置である。
現在位置検出装置１１は、人工衛星を利用して車両の位置を測定するＧＰＳ（Ｇｌｏｂａｌ  Ｐｏｓｉｔｉｏｎｉｎｇ  Ｓｙｓｔｅｍｓ）センサ１１１を備えている。
なお、現在位置検出装置１１は、ＧＰＳセンサ１１１による現在位置検出を補足する装置として、車速センサ１１２、ジャイロセンサ１１３を備えている。
更に、地磁気を検出して車両の方位を求める地磁気センサ等を備えるようにしてもよい。
【００１４】
生体情報取得装置１２は、運転者の生体情報を取得するセンサとして、心拍センサ１２１と、発汗センサ１２２、筋電位センサ１２３、脳波センサ１２４、画像処理装置１２５を備えている。
本実施形態の経路探索装置では、車両が走行を開始すると、所定時間間隔で心拍数と発汗量等の各センサ１２１〜１２４及び画像処理装置１２５による測定を行い、その結果をＥＣＵ１０に供給するようになっている。
【００１５】
心拍センサ１２１は、運転者の心拍数を検出するセンサで、運転者の脈拍数から心拍数を検出する。本実施形態における心拍センサ１２１は、ステアリングに配置された電極により、運転中の運転者の手から心拍信号を採取することで心拍数を検出するようになっている。なお、心拍センサ１２１は、専用のセンサを手首等の運転者の身体に配置するようにしてもよい。
発汗センサ１２２は、ステアリングに配置され、発汗状態によって流れる電流値の変化から発汗状態を検出する。
【００１６】
筋電位センサ１２３は、運転者の腕等に配置され、その筋電位の変化を測定する。
脳波センサ１２４は、脳波を測定し、何波（ベータ波、アルファ波、デルタ波、シータ波）が出ている状態かを測定する。
【００１７】
画像処理装置１２５は、後述する画像入力装置１５で撮像された運転者の顔画像の画像処理を行い、瞳孔の変化を検出する。すなわち、瞳孔が開く方向に変化している場合には、交感神経系優位の状態であると判断する。
【００１８】
なお、生体情報として血圧センサにより運転者の血圧を検出するようにしてもよい。
本実施形態において、血圧センサは、例えば、人体において心臓の収縮に伴う血液の脈波が心臓から指先に到達するまでの脈波伝播時間（ＰＷＴＴ：Pulse Wave Transmit Time）と血圧との相関関係を利用して血圧測定を行うものである。
血圧センサは、心臓の拍動時に発生する電位変化を検知して心臓の収縮タイミングを検知するための電極センサと、指先の血流量の変化を赤外線により検知して脈波が指先に到達したタイミング（脈拍）を捉えるための赤外線センサを備えており、これらセンサにより検知した脈波伝播時間に基づいた演算により血圧を測定する。
なお、特開２０００−１０７１４１号公報に記載されるように、心臓からの距離の差を利用して、脈拍を計測する脈拍センサを両センサ部に配置するようにしてもよい。
【００１９】
画像入力装置１５は、車両内に配置されたＣＣＤカメラを備えている。
画像入力装置１５で撮像した運転者の顔画像は、画像処理装置１２５に供給されて、画像処理により瞳孔の変化の検出に使用される。
【００２０】
データ記憶部１６と、プログラム記憶部１７は、ＲＯＭ、ＲＡＭの他、フレキシブルディスク、ハードディスク、磁気テープ等の磁気記録媒体、メモリチップやＩＣカード等の半導体記録媒体、ＣＤ−ＲＯＭやＭＯ、ＰＤ（相変化書換型光ディスク）等の光学的に情報が読み取られる記録媒体、その他各種方法でデータやコンピュータプログラムが記録される記録媒体が含まれる。
記録媒体には、記録内容に応じて異なる媒体を使用するようにしてもよい。
【００２１】
データ記憶部１６は、地図ＤＢ（データーベース）１６１、個人特性ＤＢ１６２、経路コストデータ１６３、生体情報判定データ１６４等の本実施形態で使用される各種データ、その他のデータが格納されている。
【００２２】
地図ＤＢ１６１は、地図情報、道路情報等の各種地図に関連した情報が格納されたデーターベースである。
道路情報は、現在位置検出装置１１で検出された車両の現在位置と道路情報とのマップマッチングにより現在走行中の道路及び該道路上の位置を検出するのに使用される。また、道路情報のうち、信号の量、道路種別、車線数、右左折の量、カーブ、高低差等は、生体異常が検出された際の走行環境（快適経路判定データ）として記憶される。
【００２３】
なお、地図ＤＢ１６１は、車両の現在地周辺や目的地周辺等の各種地図や道路を表示装置に表示するために地図情報が使用され、目的地までの経路探索に道路情報が使用される。また、各施設に対する情報が格納された施設情報（ＰＯＩ情報）等も格納されている。
【００２４】
個人特性ＤＢ１６２には、車両の走行中において、生体情報取得装置１２で取得した各生体情報に異常が検出された場合、異常となった生体情報の項目（内容）と、異常の程度、及び異常状態となった地点や区間における環境情報（車両量、信号量、道路種別、車線数、等）が格納されるようになっている。
【００２５】
図２は、生体情報の状態区分を表したものである。
この生体情報の状態区分に基づく正常か異常かを判断する基準については、生体情報判定データ１６４に格納されている。
【００２６】
図２に示されるように、心拍については、高、中、低に区分され、高と低の場合に異常と判定される。
心拍は、生体情報判定データ１６４に基づき、１分当たりの心拍が５０未満の場合に低、５０以上１１０未満の場合に中、１１０以上の場合に高と判定される。
【００２７】
発汗については、多、適量、少に区分され、多と少の場合に異常と判定される。
発汗は、単位面積（１平方センチメートル）当たりの１分間の発汗量で判定され、０．１ｍｇ未満の場合に少、０．１ｍｇ以上０．５ｍｇ未満の場合に適量、０．５ｍｇ以上の場合に多と判定される。
【００２８】
筋電位については、強、適度、弱に区分され、強と弱の場合に異常と判定される。
筋電位は、測定電位が５０μＶ未満の場合に低、５０μＶ以上５００μＶ未満の場合に適度、５００μＶ以上の場合に強と判断される。
【００２９】
脳波については、ベータ波の場合には正常、デルタ波、シータ波、アルファ波の場合に異常と判定される。
デルタ波は、０．５〜４Ｈｚ未満の脳波で、ぐっすり眠っている場合に現れる。
シータ波は、４〜８Ｈｚ未満の脳波で、とろとろと眠くなってきた時に現れる。
アルファ波は、８〜１３Ｈｚ未満の脳波で、健康な成人の、安静、リラックス、閉眼時に後頭部に現れる。
ベータ波は、１３〜４０Ｈｚ未満の脳波で、精神活動をしている部位に現れる。
【００３０】
瞳孔については、広、通常、狭に区分され、広、狭の場合に異常と判定される。
瞳孔の場合、明るい場所の場合（運転者周辺が明るい場合）、４ｍｍ未満の場合に狭、４〜７ｍｍ未満の場合に通常、７ｍｍ以上の場合に広と判定される。
一方、暗い場所の場合、２ｍｍ未満の場合に狭、２〜５ｍｍ未満の場合に通常、５ｍｍ以上の場合に広と判定される。
そして、明るさに応じた瞳孔変化がない場合にも、異常と判定される。
【００３１】
図３は、走行中に生体が異常と判定された際に、その異常状態（項目と区分）と共に個人特性ＤＢ１６２に保存される環境情報とその区分について表したものである。この環境情報は、快適経路判定用のデータとして使用される。
図３に示されるように、保存対象となる環境情報としては、時刻、天気、明るさ、気温、車両量、信号、道路種別、車線数、右左折、踏切、高低差、カーブ等がある。
時刻、天気、明るさ、気温については、センサや時計から検出する。
車両量については、通信装置２２から取得するが、撮像装置による撮像画像から画像処理により取得するようにしてもよい。
信号、道路種別、車線数、右左折、踏切、高低差、カーブについては、地図ＤＢ１６１の道路情報から取得する。
【００３２】
時刻については、朝、昼、夕、夜に区分され、天気については晴、曇、雨（霧）、雪に区分され、明るさについては明、暗に区分され、気温については、高、適温、低に区分されている。
また、他の項目については図３に示したように区分されている。
【００３３】
図１において、経路コストデータ１６３には、地図ＤＢ１６１に格納されている道路データの各区間に対応するコストが格納されており、このコストを使用して経路探索が行われるようになっている。
経路コストデータ１６３に格納されるコストは、一般的な基準経路や最短時間経路を算出するためのコストと、上記各経路の所要走行時間を算出するための時間データである。
時間コストは、各区間を走行する場合の所要走行時間である。
【００３４】
一般的な基準経路を計算するために使用する基準コストは、例えば、道路の距離、種別、幅員（片道何車線かを示す値）の各道路の構造データにより次の式（１）で計算される。
基準コスト＝距離×種別係数×幅員係数×生体異常係数ｒ  …式（１）
ここで、種別係数の値としては例えば国道の場合で１．０で、一般道＝１．５と規定され、例えば、距離２００ｍの区間に対する基準コストは、次のように計算される。
片側１車線の国道の距離コスト＝２００×１．５×１．０＝３００ｍ
【００３５】
生体異常係数ｒは、本実施形態の特性判定処理（後述）において、生体情報が頻繁に異常となる環境項目（交差点、渋滞、信号の多さ等、坂道、カーブ等）に対応して設定される係数である。
この生体異常係数は、時間コストに対しても適用される。
【００３６】
本実施形態では、後述する運転者の生体情報に基づく特性判定処理により、基準コストや交差点、カーブ等に対するコストが適宜変更される。
【００３７】
プログラム記憶部１７には、本実施形態における快適経路探索プログラム１７１（図５に従って後述）、特性判定プログラム１７２（図６に従って後述）、個人特性取得プログラム１７３（図４に従って後述）、経路案内プログラム１７４、その他の各種プログラムが格納されている。
経路案内プログラム１７４は、本実施形態により探索された快適経路に従って、運転者に経路を表示装置２０や音声出力装置１９による画像や音声により案内するプログラムである。
【００３８】
入力装置１８は、タッチパネル（スイッチとして機能）、キーボード、マウス、ライトペン、ジョイスティック、赤外線等によるリモコン、表示装置の表示画面に取り付けられたタッチパネル、リモコン、音声認識装置などの各種の装置が使用可能であり、各種情報を入力するための入力手段を構成する。
入力装置１８は、本実施形態において目的地の設定等に使用される。
【００３９】
音声出力装置１９は、車内に配置された複数のスピーカ及び音声制御装置で構成される。この音声出力装置１９は、オーディオ用のスピーカと兼用するようにしてもよい。
【００４０】
表示装置２０は、液晶表示装置、ＣＲＴ、ヘッドアップディスプレイ等の各種表示装置が使用される。
経路探索の際には、本実施形態により探索された複数の快適経路とその快適度等が表示される。
また、快適経路に従って走行を開始した場合には、表示装置２０には、車両周辺や快適経路周辺の地図や、探索経路、周辺施設案内画面なども表示されるようになっている。
【００４１】
通信装置２２は、通信手段として機能し、外部の情報センタやインターネットと接続して各種データの送信及び受信を行う。
本実施形態において通信装置２２は、情報センタやＶＩＣＳセンタ（ＶＩＣＳは登録商標）等から渋滞や交通規制などの道路交通情報を取得するようになっている。
通信装置２２で取得した渋滞情報については、本実施形態において、渋滞指数を算出する際に使用される。
【００４２】
なお、図示しないが、本実施形態の経路探索装置は、運転者の生体情報異常時における環境情報として、時刻を判断するための時刻センサ、天候を判断するためのセンサとしワイパーの稼働状態を検出するワイパーセンサ、車幅灯のオン状態を検出する車幅灯センサ、ヘッドランプのオン状態を検出するヘッドランプセンサ、明るさを検出するセンサ、温度検出センサ等を備えている。
【００４３】
次に、以上のように構成された経路探索装置における各処理について説明する。
図４は、個人特性蓄積処理の動作を表したフローチャートである。
この個人特性蓄積処理は、車両の走行開始により実行され走行中実行が継続されるが、イグニッションオンにより実行され、イグニッションオフにより終了するようにしてもよい。
【００４４】
また、個人特性（快適経路判定データ）が所定量蓄積された後は、所定の期間（例えば、１ヶ月、３ヶ月、６ヶ月、１年等、任意の期間Ｎヶ月））経過するまで、又は／及び、所定距離（例えば、５０ｋｍ、１００ｋｍ等、任意のＭｋｍ）走行するまで個人特性蓄積処理を停止し、期間が経過等した後に再度蓄積するようにしてもよい。再蓄積は蓄積が完了するまでは、従前のデータが使用され、再蓄積が完了した場合に更新されるようにする。
【００４５】
個人特性蓄積処理において、生体情報取得装置１２により各生体情報の検出及び画像処理（以下画像処理を含めて検出という）を行う（ステップ１０）。
ＥＣＵ１０は、検出した生体情報について、生体情報判定データ１６４に従って、異常となった項目（心拍、発汗等）があるか否かを判断する（ステップ１１）。
【００４６】
いずれか１以上の生体情報についての異常が検出されると（ステップ１１；Ｙ）、ＥＣＵ１０は、異常となった生体情報の項目（内容）と、異常状態の区分、及び異常状態となった地点や区間における環境情報（車両量、信号量、道路種別、車線数、等）を、快適経路判定データとして個人特性ＤＢ１６２に格納する（ステップ１２）。
なお、生体情報が正常か異常かについて、所定期間の計測が必要な項目や変化の計測が必要な項目（瞳孔の変化等）の場合には、所定量だけ計測値（取得値）をＲＡＭに格納しておいて判定することになる。
【００４７】
生体情報の異常が１つも検出されない場合（ステップ１１；Ｎ）、及び快適経路判定データの格納（ステップ１２）の後、ＥＣＵ１０は、処理を終了するか否か判断する（ステップ１３）。
すなわち、ＥＣＵ１０は、走行の停止やエンジンがオフされた場合、また、上記したように所定量蓄積後停止する場合の所定量に達した場合に（ステップ１３；Ｙ）、処理を終了し、それ以外は（ステップ１３；Ｎ）ステップ１０に戻って、生体異常の監視を継続する。
【００４８】
次に、運転者の生体情報を利用した快適経路探索処理について図５から図７を用いてい説明する。
図５は、快適経路探索処理の動作を表したフローチャートである。
ＥＣＵ１０は、目的地設定において、ユーザが設定した目的地と出発地を取得する（ステップ２１）。
次いでＥＣＵ１０は、運転者の現在の生体情報に応じて経路探索用の基準設定を行うための特性判定処理を行う（ステップ２２）。
【００４９】
図６は、特性判定処理の動作を表したフローチャートである。
ＥＣＵ１０は、生体情報取得装置１２により各生体情報の検出を行い（ステップ３１）、検出した生体情報について、生体情報判定データ１６４に従って、異常となった項目（心拍、発汗等）があるか否かを判断する（ステップ３２）。
なお、生体情報の検出と異常の判定については、車両の走行中における個人特性蓄積処理（図４）のステップ１０、１１において行われている処理と同じなので、その判断を兼用するようにしてもよい。
【００５０】
検出した生体情報の全項目について異常が無い場合（ステップ３２；Ｎ）、個人特性ＤＢ１６２から、個人特性蓄積処理により既に蓄積済みの（過去の）個人特性を抽出する（ステップ３３）。
すなわち、ＥＣＵ１０は、個人特性ＤＢ１６２の蓄積データから、生体異常となっている項目と、その環境データを検索し、異常となった回数が所定のＰ回以上である環境項目を抽出する。例えば、交差点、細街路、渋滞している場合の生体異常回数が所定のＰ回を越えている場合に、かかる交差点等はユーザの苦手な環境と判断できるので、これをユーザの特性として抽出する。
【００５１】
一方、生体情報のいずれか１つ以上の項目について異常が検出された場合（ステップ３２；Ｙ）、検出項目に対する生体情報の回数に係数ｑ（ｑ＞１）を乗じた上で、ステップ３３と同様にして、異常回数が所定のＰ回を越えている環境項目を抽出する（ステップ３４）。
なお、係数ｑを乗じる代わりに／加えて、生体情報異常が検出された現時点の環境項目に対する所定回数に係数ｑ２を乗じるようにしてもよい。
【００５２】
次いでＥＣＵ１０は、抽出した特性（環境項目）から、経路探索の基準を設定し（ステップ３５）、メインルーチンにリターンする。
経路探索の基準設定においてＥＣＵ１０は、ステップ３３又はステップ３４で抽出した環境項目に対応する時間コストと基準コストに乗ずる生体異常係数ｒ（ｒ＞１、例えば、１）を設定する。
この生体異常係数は上記した式（１）で使用される。
例えば、抽出された右左折や複雑な構造の交差点（環境項目）などのコストを高くする等の経路探索基準が設定される。
【００５３】
なお、異常回数に応じて環境項目に対応する生体異常係数ｒを変更するようにしてもよい。例えば、Ｐ１〜Ｐ２回はｒ１＝１．２、Ｐ２〜Ｐ３はｒ２＝１．３、Ｐ３〜Ｐ４はｒ３＝１．４、Ｐ４以上はｒ４＝１．５というように、異常回数に応じて生体異常係数を変更することで、運転者にとってより苦手な走行環境の区間ほど、走行経路として選択されにくくなる。
【００５４】
特性判定による経路探索の基準設定が終わると（ステップ２２）、ＥＣＵ１０は、設定された基準（コスト）に従って、ステップ２１で設定された目的地までの走行経路を複数探索する（ステップ２３）。
この経路探索では、コストに生体情報の異常に基づいて運転者が苦手と考えられる走行環境のコストを高くすることで、運転者に苦手な区間が選択されにくくなり、より快適な経路が選択されやすくなる。
【００５５】
次にＥＣＵ１０は、探索された複数の走行経路における渋滞情報を、通信装置２２を介して情報センタやＶＩＣＳセンタ（ＶＩＣＳは登録商標）等から取得する（ステップ２４）。
本実施形態では、ステップ２３の経路探索をした後に、渋滞情報を取得することで、渋滞情報を取得する範囲を特定することができるので効率的に渋滞情報を取得することができる。
なお、渋滞情報については、経路探索の途中において該当区間についての渋滞情報を順次取得するようにしてもよい。
【００５６】
次にＥＣＵ１０は、検索した各走行経路に対する快適度判定を行う（ステップ２５）。
図７は、快適度判定について説明するための図である。
いま、図７（ａ）に示されるように、出発地点Ｓから目的地Ｇまでの生体情報を考慮した走行経路として、経路ａ、経路ｂ、経路ｃの３経路が探索されたものとする。
各経路ａ、ｂ、ｃの所要時間については、該当箇所や区間の時間コストに生体異常係数ｒを乗じて計算した値である。
そして、図７（ａ）では、ステップ２４で取得した渋滞情報の区間が渋滞と混雑に分けて表示されている。
【００５７】
快適度Ｖについては、図７（ｂ）に示されるように、各経路に対する渋滞指数Ｊと、環境適合指数Ｅとから判定される。
いま、出発地点Ｓから目的地Ｇまでの経路の距離（実際の距離）をＬ１とし、経路中に存在する苦手区間の距離をＬ２とした場合の環境適合指数Ｅは、次の式（２）で表される。
環境適合指数Ｅ＝（（Ｌ１−Ｌ２）／Ｌ１）×１００（％）  …式（２）
【００５８】
ここで苦手区間は、生体異常となった走行環境と同一環境の区間である。
従って、環境適合指数は、出発地点Ｓから目的地Ｇまでの距離のなかに、苦手区間以外の区間（苦手でない区間）が含まれている割合で表されることになる。
なお、環境適合指数を算出する場合、渋滞区間については考慮されず、次の渋滞指数として反映される。
【００５９】
渋滞指数Ｊは渋滞度をｊ、嫌渋滞係数をＳとした場合、次の式（３）で表される。
渋滞指数Ｊ＝ｊ×Ｓ  …式（３）で表される。
【００６０】
ここで、渋滞度ｊは、各経路に含まれる渋滞区間及び混雑区間の距離の合計をＬ３とした場合、次の式（４）で表される。
Ｊ＝（Ｌ３／Ｌ１）×１００（％）  …式（４）
【００６１】
なお、距離Ｌ３については、単純に渋滞区間と混雑区間の距離の合計としたが、渋滞区間については、所定の係数ｄ（例えば、ｄ＝１．２）を乗ずるようにしてもよい。
【００６２】
また、嫌渋滞係数Ｓは、個人特性ＤＢ１６２に格納されている個人特性から判断され、渋滞に対して生体異常となる回数に応じて選択される。なお、生体異常となる項目（心拍、発汗等）については問われず全て計数される。
嫌渋滞係数Ｓは、例えば、異常回数がＵ１回未満は０（渋滞を嫌に思わない運転者）、異常回数がＵ１以上Ｕ２未満はＳ＝１．２（渋滞が多少嫌いな運転者）、異常回数がＵ２以上はＳ＝１．５（渋滞がとても嫌いな運転者）に設定されているが、この値は適宜変更可能である。
【００６３】
以上の渋滞指数Ｊと環境適合指数Ｅを算出するとＥＣＵ１０は、快適度Ｖを求める。
この快適度Ｖは、環境適合指数Ｅ−渋滞指数Ｊの値をＶ（Ｅ，Ｊ）とした場合、次のように決められる。
快適度Ｖは、Ｖ（Ｅ，Ｊ）が５０％未満を１、５０％以上６０％未満を２、６０％以上７０％未満を３、７０％以上というように決定され、数値が大きいほど運転者にとって快適な経路であることを表している。
なお、本実施形態では、快適度Ｖを４段回に区分しているが、より多くの区分に分けるようにしてもよい。
【００６４】
ＥＣＵ１０は、各経路についての快適度Ｖの値が求まると、探索した各走行経路のうち快適度が最も高い経路を快適経路に決定し、地図情報と共に表示装置２０に表示する。
その際、決定した快適経路と共に、他の経路についても快適度が高いＷ（例えば、快適経路を含めて３つ）の経路について、表示装置２０に表示することで、ユーザに変更可能な経路として提供する。
【００６５】
なお、表示装置２０に表示する各経路については、図７（ａ）に示されるように、渋滞区間、混雑区間、及び各経路ａ〜ｃの所要時間と快適度を併せて表示するようにする。
そして、苦手区間についても色分け等により識別可能に表示するようにしてもよい。
【００６６】
各経路を表示装置２０に表示した後ＥＣＵ１０は、表示経路以外の経路への変更をユーザ選択したか否かを監視し（ステップ２６）、変更を選択した場合（ステップ２６；Ｙ）にはステップ２２に戻って、他の経路を探索する。その際、ＥＣＵ１０は、経路変更が選択された際にユーザにより選択された項目を優先して再探索するようにする。
【００６７】
一方、経路が変更されず、表示した経路のいずれかが選択された場合（ステップ２６；Ｎ）、ＥＣＵ１０は、選択された走行経路に従って経路案内を開始し（ステップ２７）処理を終了する。
なお、ユーザが表示した経路のいずれも選択せずに走行を開始した場合、ＥＣＵ１０は、決定した快適経路の案内を開始する。
【００６８】
次に、本願発明の第２実施形態について説明する。
（３）第２実施形態の概要
この第２実施形態では、目的地まで経路探索した複数の走行経路上を走行している他車両のうち、自車両の運転者と同一の特性を持つ（生体異常となっている項目と、その環境項目が同一又は類似している場合）他車両の運転者が、現在どのような状態で運転しているかを、情報センタから取得する。
他車両の状態としては、生体情報の異常項目の数と程度に応じたストレス度（ストレス大、ストレス小、ストレス無の３の状態）をその車両位置と共に取得する。
そして、各経路に対して、その経路上の全車両数に対するストレス無の車両数の比率から快適指数Ｋを算出し、この快適指数Ｋの値に応じて快適度Ｖ２を決定する。
【００６９】
なお、説明する第２実施形態では、更に、第１実施形態と同様に環境適合指数Ｅと渋滞指数Ｊを求め、これらと快適指数Ｋとから快適度Ｖ２を決定する場合について説明するが、快適指数Ｋから快適度Ｖ２を決定するようにしても、運転者の生体情報にもとづく快適な経路を探索することができる。
【００７０】
（４）第２実施形態の詳細
第２実施形態における経路探索装置の構成としては、図１に示した第１実施形態の構成に加え、他車特性取得プログラムがプログラム記憶部１７に格納される。
また、快適経路探索プログラム１７１及び個人特性取得プログラム１７３の一部が変更される。
以下第２実施形態について相違点を中心に説明する。
【００７１】
第２実施形態では、図４で説明した個人特性蓄積処理において、快適経路判定データを個人特性ＤＢに記憶した（ステップ１２）後、及び生体異常が検出されていない場合（ステップ１１；Ｎ）に、特性データ（異常ありの場合には生体異常の項目と程度、異常なしの場合にはストレス無）と、現在位置と、車両ＩＤとを情報センタに送信する。
【００７２】
なお、生体情報による快適度判定の精度を上げるために、車両ＩＤに代えて、運転者ＩＤを使用するようにしてもよい。
この場合、各車両は運転者の体重や座席位置、顔画像の画像認識等によって、運転者を区別し、各運転者毎に運転者ＩＤを登録しておくようにする。
また、運転者自身が運転者ＩＤを入力するようにしてもよい。
【００７３】
このように各車両が所定周期で自車両運転者の特性データを情報センタに送信することで、情報センタでは各車両の現在のストレス状態を把握することができる。
また情報センタでは、受信した各車両の特性データを車両ＩＤ毎に特性データーベースに蓄積しておくことで、問い合わせが有った特定運転者の特性と同一（類似）の特性を持つ車両を抽出することが可能になる。
【００７４】
なお、情報センタでは、各時点で受信した特性データを蓄積することで、各車両の個人特性ＤＢと同一のデータを保有することになるが、データが大量になる場合には、特性の同一類似を抽出可能なデータを作成して保存するようにしてもよい。
例えば、所定量蓄積した特性データから、その運転者の苦手な環境項目（図３の各項目）を記憶するようする。
【００７５】
また、第２実施形態では、図５で説明した快適経路探索処理において、経路探索（ステップ２３）と快適経路判定（ステップ２５）の間に、他車情報取得処理を行う。
この他車情報取得処理は、渋滞情報取得（ステップ２４）の前後どちらでもよい。
【００７６】
図８は、第２実施形態における他車情報取得処理の動作、及び、その場合の情報センタによる他車情報送信処理について表したものである。
車両のＥＣＵ１０は、ステップ２３で探索した各走行経路と車両ＩＤを通信装置２２を介して情報センタに送信する（ステップ４１）。
【００７７】
情報センタでは（実際には、処理は所定プログラムに従って情報センタのＣＰＵが処理するが、情報センタの動作として説明する）、送信される経路データと車両ＩＤを受信すると（ステップ４２）、受信した経路上に存在する他車両を検出し、その位置とストレス情報を取得する（ステップ４３）。
この場合、経路上に存在する他車両の検出は、各車両の個人特性蓄積処理において所定間隔毎に送信されてくる特性データと現在位置に基づいて行われる。
【００７８】
次いで情報センタでは、検出した他車両の中から、ステップ４２で受信した車両ＩＤに対応する特性データと同一特性を持つ車両を抽出する（ステップ４４）。
ここで、同一特性については、問い合わせの有った車両ＩＤに対応する特性（苦手な走行環境項目）と、他車両の特性とのあいだで、所定割合以上の一致があれば同一とみなすようになっている。
【００７９】
次いで情報センタは、抽出した他車両の現在位置と、現時点でのストレス状態を問い合わせの有った車両に送信して（ステップ４５）、処理を終了する。
一方、車両のＥＣＵ１０では、情報センタから送信される各車両の現在位置とストレス状態を受信し（ステップ４６）、他車情報取得処理を終了する。
【００８０】
図９は、第２実施形態における快適度判定について説明するための図である。
第２実施形態の快適度判定において、ＥＣＵ１０は、図９（ａ）に示されるように、出発地点Ｓから目的地Ｇまでの生体情報を考慮した走行経路ａ、経路ｂ、経路ｃの３経路が表示装置２０に表示される。
そして、第１実施形態の場合に加え、情報センタから受信した各他車両の位置とその運転者のストレス状態（ストレス大、ストレス小、ストレス無）を区別して表示する。
【００８１】
そして、ＥＣＵ１０は、図９（ｂ）に示されるように、取得した他車情報（車両位置とストレス状態）に基づいて快適指数Ｋを算出する。
すなわち、快適指数Ｋは、各経路上に存在する全車両数をＸ１とし、そのうちストレス無の車両数をＸ２とした場合、快適指数Ｋは次の式（５）により算出する。
快適指数Ｋ＝（Ｘ２／Ｘ１）×１００（％）  …式（５）
【００８２】
そして、第２実施形態ではまず、Ｖ（Ｅ，Ｊ，Ｋ）＝環境適合指数Ｅ−渋滞指数Ｊ＋快適指数Ｋを算出する。
ついで、ＥＣＵ１０は、Ｖ（Ｅ，Ｊ，Ｋ）が４０％未満を１、４０％以上５０％未満を２、５０％以上６０％未満を３、６０％以上の区分に従って、快適度Ｖを決定する。
【００８３】
以上、本発明の経路探索装置における１実施形態について説明したが、本発明は説明した実施形態に限定されるものではなく、各請求項に記載した範囲において各種の変形を行うことが可能である。
例えば、説明した実施形態では、検出する生体情報として、脈拍数と発汗情報等を検出するようにしたが、他の生体情報として血圧センサにより運転者の血圧を検出するようにしてもよい。
この場合の血圧センサは、例えば、人体において心臓の収縮に伴う血液の脈波が心臓から指先に到達するまでの脈波伝播時間（ＰＷＴＴ：Pulse Wave Transmit Time）と血圧との相関関係を利用して血圧測定を行うものである。
血圧センサは、心臓の拍動時に発生する電位変化を検知して心臓の収縮タイミングを検知するための電極センサと、指先の血流量の変化を赤外線により検知して脈波が指先に到達したタイミング（脈拍）を捉えるための赤外線センサを備えており、これらセンサにより検知した脈波伝播時間に基づいた演算により血圧を測定する。
なお、特開２０００−１０７１４１号公報に記載されるように、心臓からの距離の差を利用して、脈拍を計測する脈拍センサを両センサ部に配置するようにしてもよい。
【００８４】
説明した第１実施形態では渋滞指数と環境適合指数の両項目に基づいて、また、第２実施形態では渋滞指数と環境適合指数と快適指数の全項目に基づいて、快適度、快適経路を決定する場合について説明したが、いずれか１つ以上の項目に基づいて快適経路を決定するようにしてもよい。
【図面の簡単な説明】
【００８５】
【図１】本発明の１実施形態における経路探索装置の構成図である。
【図２】生体情報の状態区分を表したものである。
【図３】走行中に生体が異常と判定された際に、個人特性ＤＢに保存される環境情報とその区分について表した説明図である。
【図４】個人特性蓄積処理の動作を表したフローチャートである。
【図５】快適経路探索処理の動作を表したフローチャートである。
【図６】特性判定処理の動作を表したフローチャートである。
【図７】快適度判定についての説明図である。
【図８】第２実施形態における他車情報取得処理の動作、及び、その場合の情報センタによる他車情報送信処理について表したフローチャートである。
【図９】第２実施形態における快適度判定についての説明図である。
【符号の説明】
【００８６】
１０  ＥＣＵ
１１  現在位置検出装置
１１１  ＧＰＳセンサ
１１２  車速センサ
１１３  ジャイロセンサ
１２  生体情報取得装置
１２１  心拍センサ
１２２  発汗センサ
１２３  筋電位センサ
１２４  脳波センサ
１２５  画像処理装置
１５  画像入力装置
１６  データ記憶部
１７  プログラム記憶部
１８  入力装置
１９  音声出力装置
２０  表示装置
２２  通信装置
【図１】
0004780454.tif 000002
【図２】
0004780454.tif 000003
【図３】
0004780454.tif 000004
【図４】
0004780454.tif 000005
【図５】
0004780454.tif 000006
【図６】
0004780454.tif 000007
【図７】
0004780454.tif 000008
【図８】
0004780454.tif 000009
【図９】
0004780454.tif 000010